(57)【要約】      （修正有）【課題】カットスイカの稜線に合致する稜線当接部を合掌状に形成し、たとえカットスイカの稜線と完全に一致しないときでもカットスイカの稜線を視覚的にシャープに綺麗に見せることのできるカットスイカ用包装袋を提供する。【解決手段】カットスイカ用包装袋１は、稜線が表われるようにカットされたカットスイカの包装袋であって、方形なプラスチック材を２枚重ねにし、一側辺を袋口２として残し、上辺及び下辺に直線状の熱切断線を設け、該上辺の熱切断線をカットスイカＳの稜線当接部とするとともに、該稜線当接部の先端５からカットスイカＳの外皮（果皮）Ｓ′に対応して下辺との交点に繋がる熱切断部を形成したことを特徴とし、単なる折線に比して明瞭な合掌状の熱切断部がカットスイカＳの稜線Ｒをシャープに、しかも、鮮明に見せ得るように構成した。【選択図】図１
0003178758.tif 000002
【実用新案登録請求の範囲】
【請求項１】
稜線が表われるようにカットされたカットスイカの包装袋であって、方形なプラスチック材を２枚重ねにし、その一側辺を袋口として残し、上辺及び下辺に直線状の熱切断線を設け、該上辺の熱切断線をカットスイカの稜線当接部とするとともに、該稜線当接部の先端からカットスイカの外皮に対応する熱切断部を介して下辺の熱切断線に繋げたことを特徴とするカットスイカ用包装袋。
【考案の詳細な説明】
【技術分野】
【０００１】
本考案は、稜線が表われるようにカットされたスイカ、例えば、１／４あるいは１／８のカットスイカの稜線を視覚的に綺麗に見せることのできるカットスイカ用包装袋に関するものである。
【背景技術】
【０００２】
スイカ（西瓜）は球形又は長球形であって、重さは１５ｋｇに達するものもある。果皮は濃緑から黄色まであり、縦の縞模様があるものが多い。果肉は紅色が普通であるが、黄色や白色のものもある。このスイカは原形のまま売られることも多いが、核家族化や小子化の影響もあって、最近では１／４、１／８、１／１６にカットして販売されることもある。このようなカットスイカは果肉が露出しているので、熟れ具合が判る点で消費者に喜ばれている。
【０００３】
もちろん、上記カットスイカのカット面は、食べる面であり、これが露出したままであると直ぐに水分が蒸発して新鮮さが失われてしまうばかりでなく、埃などの付着があって衛生上も好ましくはない。そこで、店頭における陳列時には、カットスイカのカット面を覆うように包装できるカットスイカ用包装袋（特許第４１９５１７５号）が使用されるようになった。この特許は本発明者が完成させたものである。
【特許文献１】特許第４１９５１７５号
【考案の開示】
【考案が解決しようとする課題】
【０００４】
しかしながら、上記特許文献１のカットスイカ用包装袋は、図５（ａ）の如く、透明基材（プラスチック材）５１を二つ折りし、その折り線５２を一辺Ａとして直線のまま残し、カットスイカの稜線当接部とするとともに、奥辺Ｂを重ね合わせて、カットスイカの外皮に対応する円弧を描いて、図５（ｂ）の如く、熱切断５３し、該熱切断５３に連続して他辺Ｃを直線状の熱切断５４にすることにより手前辺Ｄが開口部５５となるように袋状に形成されていたが、前記折線５２は、二つ折り作業の当初ではシャープであっても経時的に甘くなり、したがって、カットスイカの稜線当接部となる折線５２が、稜線と完全に一致しないときは、カットスイカの稜線が不鮮明となってしまい、見た目の印象（新鮮さ）を悪くさせていた。
【０００５】
本考案は、上記の課題を解消するためのもので、熱切断時にできる合掌状の稜線当接部が明確化するため、カットスイカの稜線と完全に一致しないときでも、カットスイカの稜線を視覚的にシャープに見せ、包装したカットスイカの新鮮さをアピールすることのできるカットスイカ用包装袋を提供することを目的としている。
【課題を解決するための手段】
【０００６】
上記目的を達成するため、本考案に係るカットスイカ用包装袋は、稜線が表われるようにカットされたカットスイカの包装袋であって、方形なプラスチック材を２枚重ねにし、その一側辺を袋口として残し、上辺及び下辺に直線状の熱切断線を設け、該上辺の熱切断線をカットスイカの稜線当接部とするとともに、該稜線当接部の先端からカットスイカの外皮（果皮）に対応する円弧を描いて下辺の熱切断線に繋がる熱切断部を形成したことを特徴とし、折線に比して明瞭な合掌状の熱切断部がカットスイカの稜線をシャープに、しかも、鮮明に見せ得るように構成した。
【考案の効果】
【０００７】
本考案によれば、稜線が表われるようにカットされたカットスイカの包装袋であって、方形なプラスチック材を２枚重ねにし、その一側辺を袋口として残し、上辺及び下辺に直線状の熱切断線を設け、該上辺の熱切断線をカットスイカの稜線当接部とするとともに、該稜線当接部の先端からカットスイカの外皮（果皮）に対応する円弧を描いて下辺の熱切断線に繋がる熱切断部を形成したことを特徴としているから、カットスイカの稜線に合致する稜線当接部（直線状熱切断部）が合掌状に接着しているので、単に、折っただけのものと異なり、直線が恒久的にシャープに鮮明に現れる。したがって、包装したカットスイカの新鮮さが強調されるばかりでなく、見た目の綺麗さや印象を良くすることができ、需要者の購買意欲の向上ないし増進に繋がるという優れた効果を奏するものである。
【考案を実施するための最良の形態】
【０００８】
次に、本考案の実施の態様を説明する。図１は本願包装袋を用いて稜線を持つカットスイカを包装した状態を示す斜視図、図２は方形のプラスチック材を２枚重ねし、一側辺を袋口として残し、上辺及び下辺と、上辺の先端からカットスイカの外皮に対応する円弧を描いて下辺に繋がる熱切断部を形成した状態を示す斜視図、図３はカットスイカの稜線に合致する稜線当接部の拡大断面図、図４はカットスイカの挿入時の斜視図で、（ａ）は一部挿入時、（ｂ）は完全挿入時である。
【０００９】
本願包装袋１は、図１の如く、例えば、１個のスイカ（西瓜）を、１／４や１／８或いは１／１６にカットして販売する場合において、そのカットスイカＳの稜線Ｒやカット面Ｋを含む全体をきれいに包装できるようにしたプラスチック材Ｐからなる。該本願包装袋１には、袋口２を有し、該袋口２を開いた状態でカットスイカＳを挿入し、そのカットスイカＳの稜線Ｒを、本願包装袋１の稜線当接部４に合致させてから閉じ代６を絞り込んで閉じ具３により閉じて封緘してなる。該閉じ具３は図示していないが、輪ゴムでも粘着テープでもその他でもよいことは勿論である。
【００１０】
前記本願包装袋１を構成する方形なプラスチック材Ｐは、押出機（図示せず）により板状に押出成形され、これを必要な大きさにカット成形したものでも、押出機（図示せず）によりチューブ状に押出成形し、これを扁平に開いて必要な大きさにカットしたものでもよい。しかして、方形のプラスチック材Ｐは、ＰＰやＰＥＴその他が使用できる。透明性を有し、袋外からカットスイカＳの果肉の色や熟れ具合などが見えるようにすると好ましい。
【００１１】
前記本願包装袋１は、方形なプラスチック材Ｐ、Ｐ′を２枚重ねにし、その一側辺Ａを袋口２として残し、上辺Ｂ及び下辺Ｃに直線状の熱切断線ａ、ｂを設け、該上辺の熱切断線ａをカットスイカの稜線当接部４とするとともに、該稜線当接部４の先端５からカットスイカの外皮（果皮）Ｓ′に対応して下辺の熱切断線ｂに交点５′で繋がる熱切断部４′を形成してなる。なお、図２では、一辺Ｂの直線状の熱切断部ａ、外皮Ｓ′に対応する熱切断部４′及び他辺Ｃの熱切断部ｂは便宜上「破線」にて示している。
【００１２】
前記カットスイカＳの稜線Ｒに合致する稜線当接部４は、図３の如く、２枚のプラスチック材Ｐ、Ｐ′が合掌状に熱切断（溶着）されているので、単に、折っただけの折線に比して、その切断線がシャープにしかも鮮明に現れる。もちろん、外皮Ｓ′に対応する熱切断部４′及び他辺Ｃの熱切断部ｂについても、図示していないが合掌状に接着されていることは勿論である。なお、「熱切断部」とは、切断と溶着とを同時に行う技術をいうが、熱シール部分に沿って切断する場合も含むことは勿論である。
【００１３】
前記カットスイカＳの外皮Ｓ′に当接する熱切断部４′は、カットスイカＳの外皮Ｓ′に沿う円弧が形成されるのであれば、滑らかな円弧にかぎらず、折れ線グラフ的に連続する円弧でも、場合によっては直線であってもよい。なお、本願包装袋１の深さ及び横幅は、カットスイカＳの元々の直径を考慮して決定することとなる。もっとも、１／４用、１／８用、１／１６用として共通なものを用意しておくこともある。
【００１４】
次に、本願包装袋１の使用方法について説明する。まず、１／８にカットしたカットスイカＳを包装する場合、本願包装袋１の稜線当接部４を上に向け、袋口２より、図４（ａ）の如く、前記カットスイカＳを、その稜線Ｒを前記稜線当接部４に合わせつつ挿入する。
【００１５】
この挿入を、更に、進めると、カットスイカＳの外皮Ｓ′が円弧を描いた熱切断部４′に、図４（ｂ）の如く、達する。しかして、熱切断部４′は、カットスイカＳの外皮Ｓ′の中心を通るように、袋を巾方向に拡張した状態で納まることとなる。その後は、袋口２側にある閉じ代６を絞り込み、図１の如く、閉じ具３により閉じればカットスイカＳはその稜線Ｒ及び合掌状に対向するカット面Ｋを含めて全体を包装することとなる。
【００１６】
上述の如く、カットスイカＳを納めた（挿入した）本願包装袋１の稜線当接部４は、２枚重ねたプラスチック材を合掌状に熱切断されているため、単に、折っただけのものに比して、その線がシャープにしかも鮮明に現れる。したがって、稜線当接部が、カットスイカの稜線と完全に一致しないときでも、カットスイカの稜線が鮮明となり、見た目の印象（新鮮さ）を良くすることとなる。
【００１７】
なお、本願包装袋１は、そのサイズを調整することにより、カットスイカ以外にも、カットメロン、カットマンゴー、カットグレープフルーツ、その他のフルーツ類やケーキ等のスイーツ食品にも応用できることは勿論である。
【産業上の利用可能性】
【００１８】
本願包装袋は、カットスイカの販売等において、それを簡単に、しかも視覚的に綺麗に包み込むことができるもので、店頭展示用の袋として、そのまま持ち帰り用の袋として果物屋、デパート、スーパーマーケット、コンビニなどにおいて使用できるものであり、その利用可能性は極めて広いものである。
【図面の簡単な説明】
【００１９】
【図１】本願包装袋を用いて稜線を持つカットスイカを包装した状態を示す斜視図である。
【図２】方形のプラスチック材を２枚重ねし、一側辺を袋口として残し、上辺及び下辺と、上辺の先端からカットスイカの外皮に対応する円弧を描いて下辺に繋がる熱切断部を形成した状態を示す斜視図である。
【図３】カットスイカの稜線に合致する稜線当接部の拡大断面図である。
【図４】カットスイカの挿入時の斜視図で、（ａ）は一部挿入時、（ｂ）は完全挿入時である。
【図５】従来のカットスイカの包装袋で、（ａ）は基材を二つ折りした状態の斜視図、（ｂ）は円弧状及び直線状に熱切断した状態を示す斜視図である。
【符号の説明】
【００２０】
１  本願包装袋
２  袋口
３  閉じ具
４  稜線当接部
４′  円弧の熱切断部
５  先端
５′  交点
６  閉じ代
Ｐ、Ｐ′プラスチック板
Ａ  一側辺
Ｂ  上辺
Ｃ  下辺
Ｓ  カットスイカ
Ｒ  稜線
Ｓ′  外皮（果皮）
【図１】
0003178758.tif 000003
【図２】
0003178758.tif 000004
【図３】
0003178758.tif 000005
【図４】
0003178758.tif 000006
【図５】
0003178758.tif 000007